(57)【要約】【課題】  個人認証技術において、一般に、生体情報を登録する作業はユーザにとって煩雑である。【解決手段】  データ保持部３０は、指紋画像と、その指紋画像に対応付けられた録画設定データのデータセットを保持する。指紋画像取得部２４は、ユーザから新たに指紋画像を取得する。類似値算出部４２は、複数種類の指紋画像の類似の度合いを指標化するための類似評価関数により、ユーザから新たに取得された指紋画像とデータ保持部３０に保持されている指紋画像とを比較して、それらの類似の度合いを類似値として指標化する。ロードデータ選択部５２は、類似値が所定値以上となる指紋画像がデータ保持部３０に保持されているときには、その保持されている指紋画像に対応する録画設定データを読み出し、保持されていないときには、あらかじめ用意された特定の録画設定データを読み出す。【選択図】  図１
2006277448.tif 000002
【特許請求の範囲】
【請求項１】
生体データと、その生体データに対応付けられた関連データのデータセットを保持するデータ保持部と、
ユーザから新たに生体データを取得する生体データ取得部と、
複数種類の生体データの類似の度合いを指標化するための類似評価関数により、ユーザから新たに取得された生体データと前記データ保持部に保持されている生体データを比較して、それらの類似の度合いを類似値として指標化する類似評価部と、
前記類似値が所定値以上となる生体データが前記データ保持部に保持されているときには、その保持されている生体データに対応する関連データを読み出し、保持されていないときには、あらかじめ用意された特定のデータを読み出すロードデータ選択部と、
を備えることを特徴とするデータ処理装置。
【請求項２】
前記ロードデータ選択部は、前記類似値が所定値以上となる生体データが前記データ保持部に複数種類保持されているときには、それら複数種類の生体データに対応する各関連データを読み出し対象とすることを特徴とする請求項１に記載のデータ処理装置。
【請求項３】
前記ロードデータ選択部は、前記類似値が所定値以上となる生体データが前記データ保持部に複数種類保持されているときには、それら複数種類の生体データに対応する各関連データを合成して合成データを生成し、その合成データを読み出しの対象とすることを特徴とする請求項２に記載のデータ処理装置。
【請求項４】
前記ロードデータ選択部は、前記類似値が所定値以上となる生体データが前記データ保持部に複数種類保持されているときには、それら複数種類の生体データに対応する各関連データを類似値に応じた重み付けをして合成データを生成することを特徴とする請求項３に記載のデータ処理装置。
【請求項５】
読み出されたデータの内容を変更するためのユーザによる入力を受け付ける操作部と、
読み出しの対象とされたデータをその変更内容に応じて更新するデータ更新部と、
をさらに備えることを特徴とする請求項１乃至４のいずれかに記載のデータ処理装置。
【請求項６】
前記データ更新部は、前記類似値が所定値以上となる生体データが前記データ保持部に複数種類保持されているときに読み出されたデータが変更されたときには、読み出しの対象とされた複数種類の関連データをその変更内容に応じて更新することを特徴とする請求項５に記載のデータ処理装置。
【請求項７】
前記データ更新部は、前記類似値が所定値以上となる生体データが前記データ保持部に複数種類保持されているときに読み出されたデータが変更されたときには、類似値に応じた重み付けをして読み出しの対象とされた関連データを更新することを特徴とする請求項６に記載のデータ処理装置。
【請求項８】
前記データ更新部は、前記類似値が所定値以上となる生体データが前記データ保持部に保持されていないときには、ユーザにより変更された後の前記特定のデータとユーザから新たに取得された生体データとを対応付けて新たなデータセットとして前記データ保持部に記録することを特徴とする請求項５に記載のデータ処理装置。
【請求項９】
前記データ保持部に保持されている生体データ間において計算される類似値が所定値以上となるときには、それらの生体データについてのデータセットを１つのデータセットとして統合するデータ統合部をさらに備えることを特徴とする請求項１乃至８のいずれかに記載のデータ処理装置。
【請求項１０】
関連データが互いに類似するデータであるかを判定するための類似判定条件により、前記データ保持部に保持されている関連データが類似するか否かを判定する関連データ類似判定部と、
互いに類似すると判定された関連データについてのデータセットを１つのデータセットとして統合するデータ統合部と、
をさらに備えることを特徴とする請求項１乃至８のいずれかに記載のデータ処理装置。
【請求項１１】
ユーザによる入力を受け付ける操作部と、
受け付けられた操作を検出する検出部と、
操作時において、前記操作部に設けられたセンサから生体データを取得する生体データ取得部と、
取得された生体データについて個人認証処理を実行する認証部と、
を備え、
前記認証部は、前記検出部が複数種類の操作のうちあらかじめ定められた操作を検出したことを条件として、個人認証処理を実行することを特徴とする個人認証装置。
【請求項１２】
前記操作部は、操作桿であることを特徴とする請求項１１に記載の個人認証装置。
【請求項１３】
操作エリアに対するユーザの指の動きに応じて前記複数種類の操作を検出する検出部と、
前記操作エリアに対するユーザの指の動きが所定の動き方であることを条件として、操作エリアに設けられたセンサから生体データとして指紋画像を取得する指紋画像取得部と、
前記取得された指紋画像による個人認証処理を実行する認証部と、
を備えることを特徴とする個人認証装置。
【請求項１４】
前記検出部は、ライン状の操作エリアを介してユーザの操作を検出し、
前記指紋画像取得部は、前記操作エリアの短手方向にユーザの指が動くことを条件として、指紋画像を取得することを特徴とする請求項１３に記載の個人認証装置。
【発明の詳細な説明】
【技術分野】
【０００１】
本発明は、生体情報を用いて個人を認証するための技術に関する。
【背景技術】
【０００２】
生体情報を用いて個人を認証する技術が普及しつつある。この技術においては、個人の生体情報をあらかじめ登録しておく必要がある。例えば、指紋認証技術では、まず、ユーザの指紋をあらかじめ登録しておき、その後、指紋の照合によりユーザ本人を認証する。特許文献１では、ＡＶ機器等のリモコン装置にあらかじめ登録したユーザの指紋画像と、ＡＶ機器等の使用時にリモコン装置に設けられたセンサに入力した指紋画像との特徴部分を照合することによりユーザを特定し、ユーザに対応した設定を読み出す技術が開示されている。また、特許文献２には、文書処理装置にあらかじめ登録しておいた指紋のパターンと、文書処理装置の使用時にその装置の操作パネルに設けられたセンサに取得させた指紋のパターンとを照合することによりユーザを特定し、ユーザに対応した設定を読み出す技術が開示されている。
【特許文献１】特開２００１−４５５８０号公報
【特許文献２】特開２００５−６２５９号公報
【発明の開示】
【発明が解決しようとする課題】
【０００３】
例えば、コピー機など、複数人で共有するような機器においては、ユーザ毎の嗜好に対応付けた設定をすることが好ましい。そのような設定をするために、ユーザの生体情報を用いてユーザを特定することも考えられる。しかしながら、生体情報を取得させる方法や状況等により、同一のユーザから完全に同一の生体情報が取得されるとは限らない。このような場合には、認証されるべきユーザが認証されない可能性がある。また、生体情報を登録するための作業は、一般に、ユーザにとっては煩雑である。
【０００４】
本発明は、上述の事情を鑑みてなされたものであり、その目的は、個人認証のメリットを生かしつつも、簡単な操作性を維持することにある。
【課題を解決するための手段】
【０００５】
本発明の一態様はデータ処理装置に関する。このデータ処理装置は、生体データと、その生体データに対応付けられた関連データのデータセットを保持するデータ保持部と、ユーザから新たに生体データを取得する生体データ取得部と、複数種類の生体データの類似の度合いを指標化するための類似評価関数により、ユーザから新たに取得された生体データとデータ保持部に保持されている生体データを比較して、それらの類似の度合いを類似値として指標化する類似評価部と、類似値が所定値以上となる生体データが前記データ保持部に保持されているときには、その保持されている生体データに対応する関連データを読み出し、保持されていないときには、あらかじめ用意された特定のデータを読み出すロードデータ選択部とを備える。
【０００６】
このデータ処理装置は、ユーザから取得された生体データとデータ保持部に保持されている生体データとが類似するときは生体データに対応する関連データを読み出し、類似しないときはあらかじめ用意された特定のデータを読み出す。これによって、ユーザの認証の成否にかかわらず、関連データまたは特定のデータのいずれかが読み出されるのでユーザは読み出されたデータを用いて作業を継続できる。
【０００７】
本発明の別の態様は、個人認証装置に関する。この個人認証装置は、ユーザによる複数種類の操作を検出可能な操作部と、操作時において、ユーザが接触する部分に設けられたセンサから生体データを取得する生体データ取得部とを備える。この個人認証装置によれば、ユーザの操作と同時にユーザの生体データを取得することができる。ユーザは、明示的に生体データの入力を意識する必要はない。
【０００８】
なお、以上の構成要素の任意の組合せ、本発明の表現を方法、装置、システム、コンピュータプログラム、記録媒体などの間で変換したものもまた、本発明の態様として有効である。
【発明の効果】
【０００９】
本発明によれば、個人認証のメリットを生かしつつも、簡単な操作性を維持できる。
【発明を実施するための最良の形態】
【００１０】
本実施の形態では、本発明に係るデータ処理装置および個人認証装置をハードディスクレコーダに適用する例について説明する。このハードディスクレコーダは、操作部に設けられるセンサに対する指の動きに応じた操作が可能である。このセンサは、ユーザを認証するための生体情報として操作時に指紋画像を取得する。このハードディスクレコーダは、指紋画像と対応付けてユーザの嗜好を反映するデータを保持する。ここで、ユーザの嗜好として、録画された番組や録画の回数が反映される。操作時にユーザから取得した指紋画像とハードディスクレコーダが保持している指紋画像が類似するとき、類似する指紋画像に対応するデータが読み出される。ハードディスクレコーダは、そのデータに含まれる番組名を表示する。
【００１１】
図１は、本実施の形態のデータ処理装置の機能ブロック図である。ここに示す各ブロックは、ハードウェア的には、プロセッサ、ＲＡＭなどの各種素子や、センサなどの各種デバイスで実現でき、ソフトウェア的にはコンピュータプログラムなどによって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１２】
データ処理装置１０は、ユーザインターフェース部２０、データ保持部３０、評価部４０、処理部５０および認証部６０を含む。ユーザインターフェース部２０は、ユーザの指紋画像を取得する。データ保持部３０は、ユーザインターフェース部２０が取得した指紋画像と、そのユーザのハードディスクレコーダの録画の傾向に関するデータ（「録画設定データ」とも表記する）とを対応付けて保持する。以下、取得された指紋画像とそれに対応付けられた録画設定データとのセットを「データセット」とも表記する。録画設定データとは、ユーザが過去に録画した番組と各番組の録画回数のデータである。録画設定データに関する詳細については、図２において、さらに後述する。評価部４０は、指紋画像の類似の度合いを類似値として算出して、それらが一致すると言えるほど類似するか否かを判定する。また、評価部４０は、データ保持部３０に保持された複数種類の録画設定データが類似するか否かを判定する。処理部５０は、評価部４０の判定の結果に応じて、データ保持部３０から録画設定データを読み出す。また、処理部５０は、ユーザのハードディスクレコーダの使用状況に応じて、データ保持部３０の録画設定データを更新する。認証部６０は、評価部４０が指紋画像が類似すると判定したとき、ユーザを認証する。
【００１３】
ユーザインターフェース部２０は、操作部２２、指紋画像取得部２４および表示部２６を含む。操作部２２は、ユーザの指による操作を受け付け、その指の動きを検出する。その指の動きによって、ハードディスクレコーダは操作される。指紋画像取得部２４は、操作時の指の動きが所定の動き方であることを条件として、指紋画像を取得する。指紋画像の取得に関する処理の詳細については後述する。表示部２６は、処理部５０がデータ保持部３０から録画設定データを読み出したとき、その録画設定データに含まれる番組を表示する。
【００１４】
評価部４０は、類似値算出部４２、類似値判定部４４および関連データ類似判定部４６を含む。類似値算出部４２は、例えば、パターンマッチングを用いて、ユーザから新たに取得された指紋画像（「取得画像」とも表記する）とデータ保持部３０に保持されている指紋画像（「保持画像」とも表記する）との類似の度合いを類似値として算出する。類似値判定部４４は、類似値算出部４２により算出された類似値が所定値以上である場合には指紋画像が類似すると、そうでない場合には類似しないと判定する。関連データ類似判定部は、データ保持部３０に保持されている複数種類の録画設定データ同士が類似するか否かを判定する。ここで、特に、新たに取得された指紋画像とデータ保持部３０に保持されている指紋画像とを明確に区別する場合に、「取得画像」および「保持画像」の表記を用いる。
【００１５】
処理部５０は、ロードデータ選択部５２、データ更新部５４、新規登録部５６およびデータ統合部５８を含む。ロードデータ選択部５２は、類似値判定部４４が取得画像と保持画像とが類似すると判定したとき、その保持画像に対応する録画設定データを読み出す。データ更新部５４は、ユーザが、読み出しの対象となった録画設定データと対応する録画設定とは異なる新たな録画設定をした場合、その新たな録画設定に応じて読み出しの対象となった録画設定データを更新する。新規登録部５６は、取得画像と類似する指紋画像がデータ保持部３０に保持されていないとき、ユーザの取得画像とそのユーザの録画設定に応じた録画設定データとをデータセットとしてデータ保持部３０に書き込む。データ統合部５８は、類似値判定部４４が、データ保持部に保持されている複数のデータセットに含まれる保持画像同士が類似すると判定し、かつ、関連データ類似判定部４６が、それらの保持画像に対応する録画設定データ同士が類似すると判定したとき、それら複数のデータセットを統合する。
【００１６】
図２は、複数のデータセットを示す図である。データ保持部３０は、保持画像と保持画像に対応する録画設定データとを一つのデータセットとして保持する。例えば、同図に示すように、データ保持部３０は、指紋画像ａ、ｂ、ｃ、ｄ、ｅおよびｆとこれらの指紋画像のそれぞれに対応付けられた録画設定データとを、それぞれデータセット７０、７１、７２、７４、７６および７８として保持する。録画設定データにおいては、ユーザがハードディスクレコーダを用いて録画した番組の番組名およびそのユーザがその番組を録画したことのある回数（「録画回数」とも表記する）が含まれていて、それらの番組名が録画回数の多い順に並べられている。例えば、図２に示すように、データセット７０に含まれる録画設定データは、番組Ａ、番組Ｂ、番組Ｃおよび番組Ｄのそれぞれの番組名を含む。この場合、ユーザが録画した回数は番組Ａ、番組Ｂ、番組Ｃ、番組Ｄの順で多い。図２では、説明の都合上、各録画設定データに含まれる番組数を４つとしたが、実際は４番組には限られない。なお、本実施の形態においては、録画設定データに番組名が含まれるとしたが、例えば、録画日、録画チャンネル等のテレビ番組を予約録画するための要素を符号化したＧコード（登録商標）、テレビ局および番組の放送日時等、番組を識別するためのデータが含まれてもよい。
【００１７】
録画設定データの読み出しについて説明する。類似値判定部４４は、取得画像と指紋画像ａ、ｂ、ｃ、ｄ、ｅおよびｆとが類似するか否かを判定する。ロードデータ選択部５２は、それらの指紋画像のうち、類似値判定部４４が、取得画像と類似すると判定した指紋画像に対応する録画設定データを読み出す。例えば、取得画像が指紋画像aと類似すると判定されたとき、ロードデータ選択部５２は、指紋画像ａに対応する録画設定データを読み出す。表示部２６は、例えば、読み出しの対象となった録画設定データに含まれる番組を録画回数が多い順で上位４番組、すなわち番組Ａ、Ｂ、Ｃ、Ｄの順に番組名を並べて表示する。ここで、録画設定データに録画回数の等しい番組が含まれるときは、どちらの番組の順位が上であってもよい。
【００１８】
類似値判定部４４が取得画像と類似すると判定した指紋画像がデータ保持部３０に複数保持されているとき、ロードデータ選択部５２は、それらの指紋画像のそれぞれに対応付けられた録画設定データを合成することにより新たな録画設定データを生成してから読み出す。例えば、取得画像が、指紋画像ａおよび指紋画像ｂのそれぞれと類似するとき、ロードデータ選択部５２は、指紋画像ａおよび指紋画像ｂのそれぞれに対応付けられた録画設定データを合成して新たな録画設定データを生成してから読み出す。このように、ユーザの嗜好に対応している可能性のある録画設定データを合成することにより、ユーザにとってより好ましい録画設定データの読み出しができる。
【００１９】
録画設定データの合成する手法の一例を説明する。ロードデータ選択部５２は、録画設定データに含まれる番組の録画回数を番組毎に合計し、録画回数の多い順に並べて新たな録画設定データを生成する。例えば、指紋画像ａに対応する録画設定データに含まれる番組の録画回数が、番組Ａは１０回、番組Ｂは８回、番組Ｃは６回、番組Ｄは４回であるとし、指紋画像ｂに対応する録画設定データに含まれる番組の録画回数が、番組Ｂは１０回、番組Ｃは７回、番組Ａは５回、番組Ｅは３回であるとする。双方の録画設定データに含まれる番組の録画回数を番組毎に合計すると、番組Ａは１５回、番組Ｂは１８回、番組Ｃは１３回、番組Ｄは４回、番組Ｅは３回である。つまり、新たに生成される録画設定データには、番組Ｂ、Ａ、Ｃ、Ｄ、Ｅがこの順で含まれる。表示部２６は、上位４番組の番組Ｂ、Ａ、Ｃ、Ｄをこの順で表示する。なお、ここでは、複数の録画設定データを合成する場合について説明したが、取得画像と類似する指紋画像がデータ保持部３０に複数種類保持されていたとき、それら複数種類の指紋画像のそれぞれに対応する録画設定データを合成することなく読み出すこともできる。この場合、表示部２６は、読み出された複数の録画設定データに含まれるすべての番組名を表示する。
【００２０】
取得画像がいずれの保持画像とも類似しないとき、ロードデータ選択部５２は、データ保持部３０にあらかじめ用意された特定の録画設定データを読み出す。例えば、データ保持部３０は、特定の録画設定データとして、一般的に録画の対象となりがちな４番組の番組名を含む録画設定データをあらかじめ保持しておく。取得画像がいずれの保持画像とも類似しないとき、ロードデータ選択部５２は、あらかじめ保持された録画設定データを読み出し、表示部２６には、その録画設定データに含まれる４番組が表示される。これら４番組の録画回数はすべて０回に設定されている。ユーザは、表示された４番組以外の番組をも録画できることはいうまでもない。
【００２１】
上述のように、本実施の形態では、取得画像と類似する指紋画像がデータ保持部３０に保持されているときは、ロードデータ選択部５２は、その指紋画像に対応する録画設定データを読み出す。一方、取得画像と類似する指紋画像がデータ保持部３０に保持されていないときは、ロードデータ選択部５２は、データ保持部３０にあらかじめ保持されていた録画設定データを読み出す。これによって、認証部６０により、同一のユーザが別人であると判定された場合でも、録画設定データが読み出させるので、そのユーザは読み出された録画設定データを用いてハードディスクレコーダを使用できる。
【００２２】
録画設定データに含まれる番組のデータは、具体的な番組でなく、番組の内容により分類されたデータであってもよい。例えば、スポーツ番組、報道番組、教育番組のような番組の分類が録画設定データに含まれる場合、表示部２６は、読み出された録画設定データに含まれる分類を参照して、その分類に属するお勧め番組を目立つように表示する。
【００２３】
録画設定データの更新について説明する。ロードデータ選択部５２により録画設定データが読み出された後、ユーザが番組を録画すると、データ更新部５４は、ユーザの録画した番組に応じて読み出されたデータを更新する。例えば、データセットＣに含まれる録画設定データが読み出され、その録画設定データに含まれる番組の録画回数が、番組Ｄは１０回、番組Ｅは９回、番組Ｆは７回、番組Ｃは５回であるとする。ユーザが番組Ｅを録画すると、データ更新部５４は、番組Ｅの録画回数を１０回としてデータを書き換える。さらに、別の機会にそのユーザが、番組Ｅを録画すると、データ更新部５４は番組Ｅの録画回数を１１回としてデータを書き換える。このとき、番組Ｅの録画回数は番組Ｄの１０回という録画回数を超えるので、データ更新部５４は、番組Ｄと番組Ｅとの順位を入れ換える。つまり、録画設定データは、番組Ｅ、Ｄ、Ｆ、Ｃの順に番組名を並べた状態で更新される。ロードデータ選択部５２により録画設定データが読み出された後、ユーザが番組を録画しなかったときは、データ更新部５４は、録画設定データを更新しない。なお、ユーザは、ユーザ本人に替わって他人が録画するときのために、データ更新部５４がデータを更新しないように設定できる。
【００２４】
ロードデータ選択部５２により複数種類の録画設定データが合成されずに読み出された後、ユーザが番組を録画したとき、データ更新部５４は、読み出された複数の録画設定データのそれぞれを、ユーザの録画した番組に応じて更新する。例えば、読み出された複数の録画設定データのそれぞれにおいて、ユーザが録画した番組の録画回数に１を加算して、それらをそれぞれ新たな録画設定データとして書き換える。
【００２５】
取得画像がすべての保持画像と類似しないために、データ保持部３０にあらかじめ用意された特定の録画設定データが読み出された後、ユーザが番組を録画したとき、新規登録部５６は、その録画した番組に応じて録画設定データを作成し、その録画設定データに取得画像と対応付けて新たなデータセットとして、データ保持部３０に保持させる。例えば、上述の特定の録画設定データが読み出された後、ユーザがその録画設定データに含まれる４番組のうちの一つを録画したとき、新規登録部５６は、その番組の録画回数を１回とした録画設定データを、そのユーザの指紋画像と対応付けて、新たなデータセットとしてデータ保持部３０に保持させる。
【００２６】
本発明のデータ処理装置の処理過程を説明する。
図３は、本発明に係るデータ処理装置の処理過程の概要を示すフローチャートである。ロードデータ選択部５２は、取得画像と類似する保持画像に対応付けられた録画設定データを読み出す（Ｓ１０）。ユーザは、番組を録画、すなわち録画設定データを変更する（Ｓ１２）。ユーザが番組を録画したとき、データ更新部５４は、録画設定データを更新する（Ｓ１４）。Ｓ１０およびＳ１４の処理の詳細については図４および図５に関連して詳述する。
【００２７】
図４は、図３のＳ１０における録画設定データの読み出しの過程を詳細に示すフローチャートである。指紋画像取得部２４は、操作時にユーザの指紋画像を取得する（Ｓ２０）。類似値判定部４４は、取得画像と保持画像とが類似するか否かを判定する（Ｓ２２）。取得画像と類似する保持画像がないとき（Ｓ２２のＮ）、ロードデータ選択部５２は、データ保持部３０にあらかじめ保持されている特定の録画設定データを読み出す（Ｓ３０）。取得画像と類似する保持画像があり（Ｓ２２のＹ）、その保持画像が一つだけであるとき（Ｓ２４のＮ）、ロードデータ選択部５２は、その保持画像と対応付けられた録画設定データを読み出す（Ｓ２８）。一方、その保持画像が複数あるとき（Ｓ２４のＹ）、ロードデータ選択部５２は、それら複数の保持画像のそれぞれに対応付けられた録画設定データを合成して読み出す（Ｓ２６）。
【００２８】
ロードデータ選択部５２は、録画設定データを合成するとき、類似値に応じた重み付けをして合成してもよい。例として、取得画像が、図２に示す指紋画像ａおよび指紋画像ｂのそれぞれと類似し、ロードデータ選択部５２が、指紋画像ａおよび指紋画像ｂのそれぞれに対応付けられた録画設定データを読み出した場合について説明する。指紋画像ａに対応付けられた録画設定データに含まれる番組の録画回数が、番組Ａは１０回、番組Ｂは８回、番組Ｃは６回、番組Ｄは４回とし、指紋画像ｂに対応付けられた録画設定データに含まれる番組の録画回数が、番組Ｂは１０回、番組Ｃは７回、番組Ａは５回、番組Ｅは３回とする。また、取得画像と指紋画像ａとの類似値が１０、取得画像と指紋画像ｂとの類似値が３とする。録画設定データの合成において、指紋画像ａに対応する録画設定データに含まれる各番組の録画回数に類似値１０を乗じ、指紋画像ｂに対応する録画設定データに含まれる各番組の録画回数に類似値３を乗じて、番組毎に録画回数を合計すると番組Ａは１１５回、番組Ｂは１１０回、番組Ｃは８１回、番組Ｄは４０回、番組Ｅは９回となる。ロードデータ選択部５２は、番組Ａ、Ｂ、Ｃ、ＤおよびＥを録画回数の多い順に並べて新たな録画設定データを生成してから読み出す。つまり、新たに生成される録画設定データには、番組Ａ、Ｂ、Ｃ、Ｄ、Ｅの番組名がこの順で含まれる。表示部２６は、上位４番組の番組Ａ、Ｂ、Ｃ、Ｄの番組名をこの順に並べて表示する。類似値に応じた重み付けをした合成によって、取得画像との類似の度合いが大きい指紋画像に対応付けられた録画設定データに対して、ユーザの録画した番組の情報をより反映させて合成できる。
【００２９】
図５は、図３のＳ１４における録画設定データの更新の過程を詳細に示すフローチャートである。ロードデータ選択部５２が、録画設定データを読み出したのち、ユーザが番組の録画をしなかったとき（Ｓ４０のＮ）、データ更新部５４は、録画設定データを更新しない。一方、ユーザが番組の録画をした場合であって（Ｓ４０のＹ）、取得画像と類似する保持画像がなかったとき（Ｓ４２のＮ）、新規登録部５６は、ユーザの録画した番組の録画回数を１とした録画設定データを作成し、取得画像と対応付けて、一つのデータセットとしてデータ保持部３０に保持させる（Ｓ５０）。取得画像と類似する保持画像があり（Ｓ４２のＹ）、その保持画像が一つだけであるとき（Ｓ４４のＮ）、データ更新部５４は、録画設定データを更新する（Ｓ４８）。一方、取得画像と類似する保持画像が複数ある場合（Ｓ４４のＹ）、データ更新部５４は、それら複数の保持画像に対応付けられた録画設定データのそれぞれを更新する（Ｓ４６）。
【００３０】
取得画像と類似する指紋画像がデータ保持部３０に複数保持されており、それら複数の指紋画像に対応する録画設定データが読み出されたとき、データ更新部５４は類似値に応じた重み付けをして更新してもよい。例として、取得画像が、図２に示す指紋画像ａおよび指紋画像ｂのそれぞれと類似し、ロードデータ選択部５２が、指紋画像ａおよび指紋画像ｂのそれぞれに対応付けられた録画設定データを読み出した場合について説明する。指紋画像ａに対応する録画設定データに含まれる番組の録画回数が、番組Ａは１０回、番組Ｂは８回、番組Ｃは６回、番組Ｄは４回とし、指紋画像ｂに対応する録画設定データに含まれる番組の録画回数が、番組Ｂは１０回、番組Ｃは７回、番組Ａは５回、番組Ｅは３回とする。また、取得画像と指紋画像ａとの類似値が１０、取得画像と指紋画像ｂとの類似値が３とする。ユーザが番組Ａを録画したとき、データ更新部５４は、指紋画像ａに対応付けられた録画設定データに含まれる番組Ａの録画回数に１０を加算する。また、データ更新部５４は、指紋画像ｂに対応付けられた録画設定データに含まれる番組Ａの録画回数に３を加算する。この結果、指紋画像ａに対応付けられた録画設定データに含まれる番組の録画回数が、番組Ａは２０回、番組Ｂは８回、番組Ｃは６回、番組Ｄは４回となり、指紋画像ｂに対応付けられた録画設定データに含まれる番組の録画回数が、番組Ｂは１０回、番組Ｃは７回、番組Ａは８回、番組Ｅは３回となる。したがって、指紋画像ｂに対応付けられた録画設定データにおいて、番組Ａと番組Ｃの順位は入れ替わり、順位は番組Ｂ、Ａ、Ｃ、Ｅの順となる。類似値に応じて重み付けをすることによって、取得画像との類似の度合いが大きい指紋画像に対応付けられた録画設定データに対して、ユーザの録画した番組の情報をより反映させて更新できる。
【００３１】
図６は、録画設定データの統合の過程を示すフローチャートである。類似値判定部４４は、保持画像同士が類似するか否かを判定する（Ｓ６０）。保持画像同士で類似するものがない場合（Ｓ６０のＮ）、データ統合部５８は、データセットを統合しない。一方、保持画像同士で類似するものがある場合（Ｓ６０のＹ）、関連データ類似判定部４６は、類似する保持画像のそれぞれに対応する録画設定データ同士が類似するか否かを判定する（Ｓ６２）。録画設定データ同士が類似しないとき（Ｓ６２のＮ）、データ統合部５８は、データセットを統合しない。録画設定データ同士が類似する場合（Ｓ６２のＹ）、データ統合部５８は、データセットを統合する（Ｓ６４）。
【００３２】
録画設定データの類似の成否について説明する。関連データ類似判定部４６は、録画設定データに含まれる番組の重複する数が所定値以上であれば類似すると判定する。例として、図２に示すデータセットの録画設定データについて説明する。所定値は３であるとする。データセット７０とデータセット７１のそれぞれに含まれる録画設定データを比較する。データセット７０の録画設定データに含まれる番組は、番組Ａ、Ｂ、Ｃ、およびＤである。データセット７１の録画設定データに含まれる番組は、番組Ｂ、Ｃ、Ａ、およびＥである。ここで、データセット７０およびデータセット７１に含まれる番組で重複するのは番組Ａ、Ｂ、Ｃの３番組である。したがって、重複する番組の数は所定値以上であるので、データセット７０およびデータセット７１のそれぞれに含まれる録画設定データ同士は類似する。一方、データセット７０とデータセット７２のそれぞれに含まれる録画設定データを比較すると、データセット７２の録画設定データに含まれる番組は番組Ｄ、Ｅ、Ｆ、Ｃであるので、重複する番組はＣとＤの２番組である。よって、重複する番組の数は所定値未満であるので、データセット７０とデータセット７２のそれぞれに含まれる録画設定データ同士は類似しない。
【００３３】
本発明に係るデータ処理装置によれば、例えば、同一のユーザがハードディスクレコーダを２回使用したとき、類似値判定部４４がそれぞれの使用時における指紋画像を類似しないと判定すると、そのユーザは別人であると認証される。このような場合、データ保持部３０は、それぞれの使用時の指紋画像とその時のユーザの録画内容に応じた録画設定データとを対応付けて、別々のデータセットとして保持する。そのユーザが、ハードディスクレコーダの使用を継続するうちに、それら二つのデータセットの録画設定データは類似の類似の度合いは大きくなる。データ統合部５８が、録画設定データ同士が類似することを条件としてデータセットを統合する場合、データ統合部５８は、それら二つのデータセットを同一のユーザのものであると判定して一つのデータセットに統合する。これによって、データ保持部３０の空き容量の減少を抑制できる。
【００３４】
本実施の形態では、ユーザの操作に関係なく、類似値判定部４４は、定期的に保持画像同士および録画設定データ同士の類似の成否が判定される。それらが類似すると判定されると、データ統合部５８は、それらの保持画像および録画設定データを含むデータセットを統合する。これによって、自動的にデータセットが統合されるので、ユーザは統合のための操作をする必要がない。ここでいう、「統合」とは、例えば、複数のデータセットのそれぞれに含まれる指紋画像同士および録画設定データ同士を合成して、一つのデータセットを作成することであってもよい。指紋画像を合成する方法としては、例えば、一つの指紋画像の選択、複数の指紋画像の平均化等、既知の画像合成方法が用いられる。
本実施の形態では、データ統合部５８は、保持データ同士が類似し、かつ、録画設定データ同士が類似するときに、データセットを統合した。データ統合部５８は、保持データ同士および録画設定データ同士のいずれか一方が類似すれば、データセットを統合してもよい。
【００３５】
図７は、ハードディスクレコーダの操作および指紋画像の取得について説明するための図である。データ処理装置１０には、ユーザの操作を受け付け、かつ、指紋画像を取得するラインセンサ２８が設けられている。同図に示すように、ラインセンサ２８は細長い長方形をしている。ユーザは、ラインセンサ２８の上で指２９を滑らせるように移動させて、ハードディスクレコーダを操作し、また、ラインセンサ２８に指紋画像を取得させる。ハードディスクレコーダにおいて、例えば、指２９を図７おける下方向、すなわち矢印で示すラインセンサ２８の短手方向に１回移動させると電源が入り、右方向に１回移動させると再生、右方向に２回移動させると早送り、左方向に１回移動させると停止、左方向に２回移動させると巻き戻しの操作をできる。ユーザがラインセンサ２８の短手方向に指２９を移動させたときに、ユーザの指紋画像は取得される。つまり、指紋画像は、電源を入れるのと同時に取得される。一方、ラインセンサ２８の右方向または左方向へ指を移動させても指紋画像は取得されない。本実施の形態によれば、ユーザは、明示的に指紋画像を取得させる動作を意識する必要はない。
【００３６】
また、本実施の形態では、ラインセンサ２８の短手方向に移動させる動作により電源が入ることとしたが、電源の操作に限らず、例えば、再生等のユーザが行う頻度が高い操作がなされ、それと同時に指紋画像がラインセンサ２８によって取得されてもよい。
本実施の形態では、一つのラインセンサにより、ハードディスクレコーダの複数の操作と指紋画像の取得を行う。これによって、操作部２２の設置面積を小さくできる。
本実施の形態では、指紋画像を取得してユーザを認証をする。認証部６０が、取得画像が子供の指紋画像であると判定した場合に、データ処理装置１０は、録画できる番組を制限してもよい。これによって、子供による年齢制限のある番組等の録画や再生を抑制できる。
【００３７】
本実施の形態では、ラインセンサ２８は、図７における横方向に細長い形状をしていたが、ラインセンサ２８は、ユーザの指２９より小さなセンサであってもよい。この場合、センサは指紋の模様や圧力分布等により、指の動きを検出することが可能である。これによって、操作部２２の設置面積を小さくできる。
本実施の形態では、ラインセンサ２８の短手方向に指を動かしたときに、その動きを検出して認証処理をしたが、ラインセンサ２８の長手方向に指を動かしたときに、その動きを検出して認証処理をしてもよい。
【００３８】
図８は、ユーザの認証に関するフローチャートである。ラインセンサ２８は、ラインセンサ２８の上で移動するユーザの指２９による操作を検出する（Ｓ７０）。ラインセンサ２８が、ラインセンサ２８の短手方向への指の動きを検出したとき（Ｓ７２のＹ）、ラインセンサ２８は、ユーザの指紋画像を取得する（Ｓ７４）。認証部６０は、取得した指紋画像を用いてユーザの認証処理をする（Ｓ７６）。一方、ラインセンサ２８が、ラインセンサ２８の短手方向への指の動きを検出しなかったとき（Ｓ７２のＮ）、認証部６０は、ユーザの認証処理をしない。
【００３９】
本実施の形態では、操作部２２にラインセンサ２８を設けたが、変形例においては、図９に示すように、操作部２２がいわゆるジョイスティック９０であってもよい。ジョイスティック９０の棒状部９４の先端には指紋画像を取得するためのセンサ９２が設けられる。ユーザは、センサ９２の上に指を置くことによりハードディスクレコーダの電源を入れる。電源が入ると、センサ９２はユーザの指紋画像を取得して、認証部６０は、ユーザの認証処理をする。ジョイスティック９０の棒状部９４を前後左右に傾けることにより、ユーザは、ハードディスクレコーダを操作できる。例えば、前方向に１回傾けると再生、右方向に１回傾けると早送り、左方向に１回傾けると巻き戻し、手前方向に１回傾けると停止の操作をできる。この変形例によれば、ジョイスティック９０による操作において、自然と指が接触する棒状部９４の先端に位置するセンサが指紋画像を取得するので、ユーザは、明示的に指紋画像を取得させる動作を意識する必要がない。
本実施の形態では、センサ９２の上に指を置くことにより電源が入ることとしたが、電源の操作に限らず、センサ９２の上に指を置くことにより、例えば、再生等のユーザが行う頻度が高い操作がなされ、それと同時に指紋画像がセンサ９２によって取得されてもよい。
なお、別の変形例においては、操作部２２が、指紋画像を取得するためのセンサが設けられたジョグダイヤルであってもよい。
【００４０】
本実施の形態では、本発明に係る個人認証装置をハードディスクレコーダに適用する例について説明した。本発明から把握される変形例としては、例えば、個人認証装置をゲーム機に搭載することが可能である。ゲーム機のユーザが子供である場合、ゲーム機を使用の際に、指紋画像取得部２４は、そのユーザの指紋画像を取得する。認証部６０は、ユーザが子供であることを認証する。例えば、そのユーザの親は、ゲーム機の連続使用時間が一定の時間を超えたときに、ゲーム機の電源が自動的に切れるようにあらかじめ設定しておけば、子供のゲームのやり過ぎを抑制できる。また、上述したような設置面積の小さいラインセンサを用いることにより、個人認証装置を小型ゲーム機にも搭載できるので、小型ゲーム機においてもゲームのやり過ぎを抑制できる。
別の変形例においては、火気使用禁止の装置に個人認証装置を搭載することにより、子供がその装置を使用することを制限することができる。
【００４１】
本実施の形態では、指紋の画像を取得する例について説明した。本発明から把握される変形例としては、指紋に限らず、掌紋、虹彩、静脈、顔、網膜等、画像の情報を用いて個人を認証する技術への適用が可能である。
【図面の簡単な説明】
【００４２】
【図１】本実施の形態のデータ処理装置の機能ブロック図である。
【図２】複数のデータセットを示す図である。
【図３】データ処理装置の処理過程の概要を示すフローチャートである。
【図４】録画設定データの読み出しの過程を示すフローチャートである。
【図５】録画設定データの更新の過程を示すフローチャートである。
【図６】データセットの統合の過程を示すフローチャートである。
【図７】ハードディスクレコーダの操作および指紋画像の取得について説明するための図である。
【図８】ユーザの認証に関するフローチャートである。
【図９】本実施の形態の変形例におけるジョイスティックを示す図である。
【符号の説明】
【００４３】
１０  データ処理装置、  ２０  ユーザインターフェース部、  ２２  操作部、  ２４  指紋画像取得部、  ２６  表示部、  ２８  ラインセンサ、  ２９  指、  ３０  データ保持部、  ４０  評価部、  ４２  類似値算出部、  ４４  類似値判定部、  ４６  関連データ類似判定部、  ５０  処理部、  ５２  ロードデータ選択部、  ５４  データ更新部、  ５６  新規登録部、  ５８  データ統合部、  ６０  認証部、  ７０、７１、７２、７４、７６、７８  データセット、  ９０  ジョイスティック、  ９２  センサ、  ９４  棒状部。
【図１】
2006277448.tif 000003
【図２】
2006277448.tif 000004
【図３】
2006277448.tif 000005
【図４】
2006277448.tif 000006
【図５】
2006277448.tif 000007
【図６】
2006277448.tif 000008
【図７】
2006277448.tif 000009
【図８】
2006277448.tif 000010
【図９】
2006277448.tif 000011